(57)【要約】【課題】本考案は、構造が簡単で布きれを固定しやすく、布きれを昇降する操作が簡単な布きれロープ昇降台座を提供する。【解決手段】リールユニットと、二つの下環状台座と、二本の下固定ロープと、二つの上環状台座と、二本の上固定ロープとからなる。リールユニットは、リールに固定された二つのリールドラム及び単方向ラチェットを備え、歯止めが単方向ラチェットに対応し、歯止めには操作バーが連結され、それにより、使用者は、操作バーを下に引っ張ることで布きれを下降させることができる。下環状台座は、それぞれ固定環状部に枢設され、下固定ロープの両端は、それぞれ、下環状台座の固定環状部及布きれに固定され、上環状台座は、それぞれ、穿設リングを備え、上固定ロープの一端は、穿設リングに穿設されるとともに布きれに固定され、上固定ロープの他端はリールドラムに固定される。【選択図】図１
0003181782.tif 000002
【実用新案登録請求の範囲】
【請求項１】
リールユニットと、二つの下環状台座と、二本の下固定ロープと、二つの上環状台座と、二本の上固定ロープとからなる、布きれを固定するための布きれロープ昇降台座であって、
リールユニットは、リールと、二つのリールドラムと、単方向ラチェットと、ハンドルと、枢設台座と、歯止めと、固定台座モジュールと、からなり、
前記リールは、前記単方向ラチェットと前記二つのリールドラムに同軸に差し込まれ、前記リールは、前記枢設台座に枢設され更に前記ハンドルに固定されるとともに、前記ハンドルが回された際に連動し、前記歯止めは、前記枢設台座に枢設されるとともに、前記単方向ラチェットに対応し、前記枢設台座は、前記固定台座モジュールに固定され、
前記下環状台座は、それぞれ、固定板と、前記固定板に枢設された固定環状部とを備え、前記固定板は、それぞれ、複数の固定部材を備え、固定部材によって固定板は固定され、
前記下固定ロープは、それぞれ、ロープと、ロープの両端の固定フックとを備え、前記固定フックの内の一つは、前記下環状台座の固定環状部に引っかけられ、もう一つの前記固定フックは布きれに引っかけられ、
前記上環状台座は、それぞれ、固定板と、前記固定板に枢設される穿設リングとを備え、前記固定板は、それぞれ、複数の固定部材を備え、固定部材によって固定板は固定され、
前記上固定ロープは、それぞれ、長ロープと、長ロープの少なくとも一端の固定フックとを備え、前記固定フック及び前記長ロープは、前記上環状台座の穿設リングに穿設され、前記固定フックは前記布きれに引っかけられ、前記長ロープの他端は、それぞれ、前記リールユニットの二つのリールドラムの内の一つに固定されることを特徴とする、布きれロープ昇降台座。
【請求項２】
前記リールユニットの固定台座モジュールは、台座板と、連結固定板と、複数の固定部材とを備え、前記台座板は、前記枢設台座に対応して固定され、前記連結固定板は、前記台座板に対応して固定され、前記連結固定板は、前記複数の固定部材によって固定されることを特徴とする、請求項１に記載の布きれロープ昇降台座。
【請求項３】
前記リールユニットの固定台座モジュールの固定部材は、ボルト、或いは、スタッドボルト、或いは、ネジの内の一つであることを特徴とする、請求項２に記載の布きれロープ昇降台座。
【請求項４】
前記リールユニットの各リールドラムには、それぞれ、少なくとも一つの固定孔が設けられ、前記固定孔には、前記上固定ロープの長ロープの前記他端に固定されることを特徴とする、請求項１に記載の布きれロープ昇降台座。
【請求項５】
前記長ロープの前記他端は固定フックに固定され、さらに、前記固定フックは前記リールドラムの前記固定孔に固定されることを特徴とする、請求項４記載の布きれロープ昇降台座。
【請求項６】
前記下環状台座の固定部材及び前記上環状台座の固定部材は、ボルト、或いは、スタッドボルト、或いは、ネジの内の一つであることを特徴とする、請求項１に記載の布きれロープ昇降台座。
【請求項７】
前記下固定ロープ及び前記上固定ロープは、麻ロープ、或いは、ナイロンロープ、或いは、スチールロープの内の一つであることを特徴とする、請求項１に記載の布きれロープ昇降台座。
【請求項８】
前記リールユニットの各リールドラムは、両端が大きく中央が小さい形態であることを特徴とする、請求項１に記載の布きれロープ昇降台座。
【請求項９】
前記下環状台座の固定環状部及び前記上環状台座の穿設リングは、円形、或いは、楕円形、或いは、三角形、或いは、矩形の内の一つであることを特徴とする、請求項１に記載の布きれロープ昇降台座。
【請求項１０】
前記上環状台座の穿設リングの内の一つは長方形であることを特徴とする、請求項９に記載の布きれロープ昇降台座。
【請求項１１】
前記枢設台座には、さらに、スライド溝が設けられることを特徴とする、請求項１に記載の布きれロープ昇降台座。
【請求項１２】
前記歯止めは係合端を備え、前記歯止めの前記係合端には操作バーが結合され、使用者が前記操作バーを下へ引っ張ったときに前記布きれは下降することを特徴とする、請求項１に記載の布きれロープ昇降台座。
【考案の詳細な説明】
【技術分野】
【０００１】
本考案は布きれロープ昇降台座に関し、特に構造が簡単であるだけでなく、リールユニットを備えるとともに、上、下環状台座をそれぞれ壁に固定することができ、それにより、布きれを昇降させて布きれを交換或いは固定することができ、取り付けが容易で操作もしやすい布きれロープ昇降台座に関する。
【背景技術】
【０００２】
布きれは、各種の展覧会や公の場（例えば、特設の産業見本市、ＩＴ見本市、コンピューター展、モーターショー等）に幅広く用いられており、また、シンポジウムや政府機関の政令の宣伝にもよく使われている。
【０００３】
これらの公の場は、当初建設計画を立てた時、布きれを掛ける設備を提供することを考えていなかったため、展覧会やシンポジウムを開催する必要がある場合、あちこちに釘をうったり留め金で留めたりしなければならず、見た目が悪くなるだけでなく、毎回使う布きれの大きさが異なるため、一回打ち込んだ留め金を次回も使うことができない。
【０００４】
また、留め具で留めて掛ける布きれは、横幅が長い形式がもっともよくみられる。この形式の布きれは空中につるすことができるとともに、長い幅によって表示できる字数が多く、布きれで伝えたい内容を表示しやすい上、行き来する人ごみに遮られることもない。逆に言うと、直立式の布きれは、そういった欠点がある。
【０００５】
横幅が長い布きれは非常に幅広く使われているため、市場には、前述した従来の釘を打ちつけて固定する方法の代わりに、様々な固定台座が登場している。また、これらの固定台座は、横幅が長い布きれの上半分を固定する場合が多く、下半分はロープで引っ張って固定する。しかしながら、布きれの長さは一定であるため、大半の固定台座は伸縮機能を備えている。このため、その構造が複雑であり、操作がしにくいだけでなく、価格も高く、故障もしやすい。
【０００６】
さらに面倒なのは、このような固定台座は、建築物の高いところに掛けると、布きれを交換する際にはしごが必要になり、不便である上、危険である。このため、伸縮以外にも、昇降機能が必要である。このようなニーズを満たすために、布きれを昇降させるメカニズムを別途提供する必要があるため、固定台座はより複雑になってしまう。
【考案の概要】
【考案が解決しようとする課題】
【０００７】
そこで、従来の布きれ固定台座がもつ、交換と操作が面倒であるという欠点を解決するために、本考案は、構造が簡単で布きれを固定しやすく、布きれを昇降する操作が簡単な布きれロープ昇降台座を提供することを目的とする。
【課題を解決するための手段】
【０００８】
本考案による布きれロープ昇降台座は、リールユニットと、二つの下環状台座と、二本の下固定ロープと、二つの上環状台座と、二本の上固定ロープとからなる。以上の構造により、上環状台座と下環状台座は、それぞれ、固定部材によって固定板を介して壁或いはその他の建築物に固定され、その後、布きれを昇降させることにより、布きれを交換及び固定することができる。本考案は、構造が簡単であり、取り付けが用意であるとともに操作がしやすいという利点及び効果がある。
【考案の効果】
【０００９】
本考案による布きれロープ昇降台座により、使用者は各種サイズの規格の布きれを確実に取り付けることができるとともに、布きれを昇降させて交換し調整した後にさらにリールユニットの枢設台座に取り付けることができる。このように、本考案は、使用者が操作しやすいという効果がある上、構造が簡単であるという利点がある。
【図面の簡単な説明】
【００１０】
【図１】本考案の実施例の構造の分解図である。
【図２】本考案の実施例の構造を前から見た状態を示した図である。
【図３】本考案の実施例の構造を後ろから見た状態を示した図である。
【図４】本考案の実施例の一部を拡大した斜視図である。
【図５】本考案の実施例のリールユニットの歯止めと単方向ラチェット構造の組み合わせ対応図である。
【図６】本考案の実施例のリールユニットの歯止めと単方向ラチェット構造の操作対応図である。
【図７】本考案の別の実施例の構造を示した説明図である。
【考案を実施するための形態】
【００１１】
図１から図４に示すように、本考案の実施例による布きれロープ昇降台座は、リールユニット１と、二つの下環状台座２、２Ａと、二本の下固定ロープ３、３Ａと、二つの上環状台座４、４Ａと  二本の上固定ロープ５、５Ａと、固定される布きれ６とからなる。
【００１２】
リールユニット１は、リール１１と、二つのリールドラム１２、１２Ａと、単方向ラチェット１３と、ハンドル１４と、枢設台座１５と、歯止め１６と、固定台座モジュール１７とからなる。リール１１は、単方向ラチェット１３及び二つのリールドラム１２、１２Ａに同軸に差し込まれ、リールドラム１２、１２Ａは、両端が大きく中央が小さい形態である。リール１１は、枢設台座１５に枢設され更にハンドル１４に固定されるとともに、前記ハンドル１４が回された際に連動し、歯止め１６は、枢設台座１５に枢設される。また、図５に示すように、歯止め１６は単方向ラチェット１３に対応し、枢設台座１５は、固定台座モジュール１７に固定される。固定台座モジュール１７は、台座板１７１と、連結固定板１７２と、複数の固定部材１７３とからなる。台座板１７１は枢設台座１５に対応して固定され、連結固定板１７２は台座板１７１に対応して固定され、連結固定板１７２は、複数の固定部材１７３により壁或いはその他の建築物に固定される。連結固定板１７２を台座板１７１に固定した後、さらに、枢設台座１５及びその上の部材を台座板１７１に取り付けることにより、初めて布きれを取り付ける時、或いは、布きれ６のサイズを交換する時、枢設台座１５を取り外して布きれ６を取り付けることができる。そして、上固定ロープ５、５Ａを含むすべての部材を調整し終わった後に、枢設台座１５を取り付ければ、布きれ６を固定することができる。このようにして、操作を行いやすくする効果を達成することができる。リールユニット１の各リールドラム１２、１２Ａには、少なくとも、固定孔１２１、１２１Ａがそれぞれに設けられる。
【００１３】
下環状台座２、２Ａは、それぞれ、固定板２１、２１Ａと、固定板２１、２１Ａに枢設された固定環状部２２、２２Ａとを備える。固定板２１、２１Ａは、それぞれ複数の固定部材２１１、２１１Ａを備え、複数の固定部材２１１、２１１Ａによって固定板２１、２１Ａは固定される。
【００１４】
下固定ロープ３、３Ａは、それぞれ、ロープ３１、３１Ａと、その両端の固定フック３１１、３１１Ａ、３１２、３１２Ａとを備え、その内の一方の固定フック３１１Ａ、３１２Ａは下環状台座２、２Ａの固定環状部２２、２２Ａに引っかけられ、他方の固定フック３１１、３１２は布きれ６に引っかけられる。
【００１５】
上環状台座４、４Ａは、それぞれ、固定板４１、４１Ａと、固定板４１、４１Ａに枢設された穿設リング４２、４２Ａとを備える。固定板４１、４１Ａは、それぞれ、複数の固定部材４１１、４１１Ａを備え、複数の固定部材４１１、４１１Ａによって、固定板４１、４１Ａは固定される。
【００１６】
上固定ロープ５、５Ａは、それぞれ、長ロープ５１、５１Ａと、その両端の固定フック５１１、５１１Ａ、５１２、５１２Ａとを備える。固定フック５１１、５１１Ａ及び長ロープ５１、５１Ａは、上環状台座４、４Ａの穿設リング４２、４２Ａに穿設され、固定フック５１１、５１１Ａは布きれ６に引っかけられる。長ロープ５１、５１Ａの他端の固定フック５１２、５１２Ａは、それぞれ、リールユニット１の二つのリールドラム１２、１２Ａの内の一つの固定孔１２１、１２１Ａの内の一つに固定される。
【００１７】
以上により、図２に示すように、上環状台座４、４Ａ及び下環状台座２、２Ａ  は、それぞれ、固定部材４１１、４１１Ａ  、２１１、２１１Ａにより、固定板４１、４１Ａ  、２１、２１Ａを介して、壁或いはその他の建築物に固定することができる。また、布きれ６（特に四隅）は、布リング６１に固定されるか、銅リングに打ち付けるのが更に好ましく、それにより、使用者は上固定ロープ５、５Ａ及び下固定ロープ３、３Ａに直接固定できるため、布きれ６を昇降して布きれ６の交換や布きれ６を行いやすくなる。以上のように、本考案は、構造が簡単であり、取り付けが容易で、操作もしやすいという利点と効果がある。
【００１８】
固定部材１７３、２１１、２１１Ａ、４１１、４１１Ａは、ボルト、或いは、スタッドボルト、或いは、ネジの内の一つである。それにより、使用者は自分で操作・取り付けを行うことができる。下固定ロープ３、３Ａ及び上固定ロープ５、５Ａは、麻ロープ、或いは、ナイロンロープ、或いは、スチールロープの内の一つである。それにより、使用者は、自分で交換・操作・取り付けを行うことができる。
【００１９】
固定環状部２２、２２Ａ及び穿設リング４２、４２Ａは、円形、楕円形、三角形、矩形の内の一つである。それにより、上固定ロープ５、５Ａを穿設しやすくなり、或いは、下固定ロープ３、３Ａの固定フック３１１、３１１Ａに引っかけやすくなる。また、上環状台座４Ａの穿設リング４２Ａは長方形である。
【００２０】
以上により、二本の上固定ロープ５、５Ａを同時に穿設しやすくなる。なお、枢設台座１５は  更に、スライド溝１５１を備え、歯止め１６は、係合端１６１を備え、係合端１６１の前縁には操作バー１６２が結合され、操作バー１６２は枢設台座１５のスライド溝１５１から突出する（図４に図示）。
【００２１】
また、本考案の実施例の取り付け方式を、図２、図７に示している。図２では、リールユニット１を右側に取り付け（図３は、リールユニット１を右側に取り付けた状態を後ろから示した説明図である）、図７では、リールユニット１を上側に取り付けている。本考案は、建築物の構造に制限を受けず、どんな建築物にも取り付けることができる。
【００２２】
図５、図６に示すように、操作を行うときは、ハンドル１４を操作することにより、リールドラム１２と単方向ラチェット１３を単方向に回転させることができる。歯止め１６の係合端１６１には操作バー１６２が結合されており、使用者が操作バー１６２を下へ引っ張る方向Ｓへと下に引っ張ったとき、重り７（図７に図示）の重量により布きれ６を下へおろすことができる。また、上述から分かるように、本考案による布きれロープ昇降台座により、使用者は各種サイズの規格の布きれを確実に取り付けることができるとともに、布きれを昇降させて交換し調整した後にさらにリールユニットの枢設台座に取り付けることができる。このように、本考案は、使用者が操作しやすいという効果がある上、構造が簡単であるという利点がある。
【符号の説明】
【００２３】
１        リールユニット
１１      リール
１２、１２Ａ  リールドラム
１２１、１２１Ａ  固定孔
１３      単方向ラチェット
１４      ハンドル
１５      枢設台座
１５１    スライド溝
１６      歯止め
１６１    係合端
１６２    操作バー
１７      固定台座モジュール
１７１    台座板
１７２    連結固定板
１７３    固定部材
２        下環状台座
２１      固定板
２１１    固定部材
２２      固定環状部
２Ａ      下環状台座
２１Ａ    固定板
２１１Ａ  固定部材
２２Ａ    固定環状部
３        下固定ロープ
３１      ロープ
３１１、３１２  固定フック
３Ａ      下固定ロープ
３１Ａ    ロープ
３１１Ａ、３１２Ａ  固定フック
４        上環状台座
４１      固定板
４１１    固定部材
４２      穿設リング
４Ａ      上環状台座
４１Ａ    固定板
４１１Ａ  固定部材
４２Ａ    穿設リング
５        上固定ロープ
５１      長ロープ
５１１、５１２  固定フック
５Ａ      上固定ロープ
５１Ａ    長ロープ
５１１Ａ、５１２Ａ  固定フック
６        布きれ
６１      固定布リング
７        重り
Ｓ        下へ引っ張る方向
【図１】
0003181782.tif 000003
【図２】
0003181782.tif 000004
【図３】
0003181782.tif 000005
【図４】
0003181782.tif 000006
【図５】
0003181782.tif 000007
【図６】
0003181782.tif 000008
【図７】
0003181782.tif 000009